(57)【要約】      （修正有）【課題】耐久性に優れ、表裏二つのボタン基体の各装飾部を効率的に使用できる優れた衣服用リバーシブルボタンを提供する。【解決手段】内側面相互が対向する一対のボタン基体１０と、該一対のボタン基体１０相互を連結する脚部１１とを備え、一対のボタン基体１０の夫々の外側面１４に装飾部１５を設けた衣服用リバーシブルボタン１において、一方のボタン基体１０と脚部１１を一体とし脚部１１の先端面に開口する雌螺子部を備えた雌ボタン１ａとし、他方のボタン基体には前記雌螺子部と螺合する雄螺子部を備え該雄螺子部の基端には弾性部材を設けた雄ボタン１ｂとし、雌ボタン１ａの雌螺子部と雄ボタン１ｂの雄螺子部を螺合し、雄ボタン１ｂの弾性部材が雌ボタン１ａの脚部１１の先端面を押圧してなることを特徴とする。【選択図】図１
0003147380.tif 000002
【実用新案登録請求の範囲】
【請求項１】
内側面相互が対向する一対のボタン基体と、該一対のボタン基体相互を連結する脚部とを備え、前記一対のボタン基体の夫々の外側面に装飾部を設けた衣服用リバーシブルボタンにおいて、
一方のボタン基体と脚部を一体とし該脚部の先端面に開口する雌螺子部を備えた雌ボタンとし、
他方のボタン基体には前記雌螺子部と螺合する雄螺子部を備え該雄螺子部の基端には弾性部材を設けた雄ボタンとし、
前記雌ボタンの雌螺子部と雄ボタンの雄螺子部を螺合し、雄ボタンの弾性部材が雌ボタンの脚部の先端面を押圧してなることを特徴とする衣服用リバーシブルボタン。
【請求項２】
ボタン基体が金属製であることを特徴とする請求項１記載の衣服用リバーシブルボタン。
【請求項３】
請求項１又は請求項２記載の衣服用リバーシブルボタンを構成する雄ボタン。
【請求項４】
請求項１又は請求項２記載の衣服用リバーシブルボタンを構成する雌ボタン。
【請求項５】
請求項１又は請求項２記載の衣服用リバーシブルボタンを備えた衣服。
【考案の詳細な説明】
【技術分野】
【０００１】
本考案は、ジーンズの前ボタンやジャケットのポケット用のボタン等、衣服のボタンとして使用し、ボタンの表側、裏側の双方のボタン基体に装飾部を有し、いずれか一方の装飾部のみを選択使用する、金属製の衣服用リバーシブルボタンに関する。
【背景技術】
【０００２】
従来、リバーシブル衣服に離脱不能に取着し、リバーシブル衣服の表裏に対応して表面に露呈するボタン（例えば、特許文献１参照。）とは一線を画し、衣服自体はリバーシブルか否かに限らず、通常の衣服に対して、ボタンのみについてその表裏を入れ替えて、表裏いずれかの装飾部を使用する、（ボタン自体が衣服から取り外せ、独立してリバーシブルとなる、）衣服用リバーシブルボタンが考案されている。
【０００３】
これらの衣服用リバーシブルボタンは、脚部の一端に表面側のボタンを備え、前記脚部の他端に裏面側のボタンを備える構成を有するものであり、例えば、両ボタンの糸穴間に多重に糸を掛けて一体的に係合し、糸外周に筒状補強部を形成し、筒状補強部が弾性を有するチューブにより締付け装着した両面ボタン（例えば、特許文献２参照。）が公知である。
【０００４】
一方で、衣服用リバーシブルボタンに関するものではないが、ボタン本体を生地に取着するボタン取着体と前記ボタン本体との結合構造を示すものとして、例えば、止着孔を有する筒部と服地のボタン穴に係合する大径頭部とが合成樹脂材料によって一体成形されたボタン本体と、前記止着孔よりも大径で外周面に凹凸が形成された尖鋭な針状部と大径頭部とを有する鋲とからなり、前記鋲を服地を通して前記ボタン本体における筒部の止着孔に打ち込むことにより、ボタン本体を服地に止着するボタンの構成（例えば、特許文献３参照。）が公知である。
【特許文献１】実開昭６３−１４１３号公報
【特許文献２】実開昭５８−１３７３０７号公報
【特許文献３】実開昭５８−１１８９１２号公報
【考案の開示】
【考案が解決しようとする課題】
【０００５】
上記特許文献２に開示される衣服用リバーシブルボタンは、その構成から表側ボタンと裏側ボタンを相違したデザインとすることで、二通りの意匠性を発揮することができる。この衣服用リバーシブルボタンは衣服への着脱は可能であるものの、衣服用リバーシブルボタン自体を、表裏二つのボタン基体相互は分離、結合できない構成である。
【０００６】
このため、一方のボタン基体のデザインが好まれないものであると、衣服用リバーシブルボタンの購入前であれば購入を躊躇することになる。また、購入後使用する際には、二通りの意匠性を有するにもかかわらず、結局一方のボタン基体のデザインを使用せず、衣服用リバーシブルボタンの本質的な意味も失われることになる。
【０００７】
また、上記特許文献２に開示される衣服用リバーシブルボタンは、使用しない側のボタン基体を衣服の生地に取着すべくボタン取付穴を形成する必要があるが、リバーシブルボタンであるため、表側のボタン穴と同じ大きさのボタン取付穴を形成することとなる。このため、表面に露呈する側のボタン基体をボタン穴からはずすつもりが、他方のボタン基体がボタン取付穴から先に外れることがあり、非常に不便であった。
【０００８】
一方、特許文献３は、上記したように衣服用リバーシブルボタンに関するものではなく、参考として示すもので、鋲を服地を通して合成樹脂製のボタン本体における筒部の止着孔に打ち込む構成を開示するものである。鋲とボタン本体を一度分離させると、再度鋲をボタン本体における筒部の止着孔に打ち込もうとしても、最初の打ち込みによって止着孔の一部が削れているために、取付け強度が低下し、不用意に鋲とボタン本体が離脱する虞を招来する。また、ボタン本体は合成樹脂製でなければ、ボタン本体に過剰な負荷がかかり、止着孔への打ち込みは事実上困難である。このため、当該ボタン本体は合成樹脂のものに限られ、金属製の高級感のある意匠性を発揮することができない。
【０００９】
本考案は、以上の事情に鑑みてなされたものであり、表裏二つのボタン基体の各装飾部を効率的に使用でき、また、表面に露呈する側のボタン基体をボタン穴からはずすつもりが他方のボタン基体がボタン取付穴から先に外れるといった不都合を生じることがなく、更には、金属製の高級感のある意匠性を発揮でき、耐久性にも優れる衣服用リバーシブルボタンの提供を、考案が解決しようとする課題とするものである。
【課題を解決するための手段】
【００１０】
内側面相互が対向する一対のボタン基体と、該一対のボタン基体相互を連結する脚部とを備え、前記一対のボタン基体の夫々の外側面に装飾部を設けた衣服用リバーシブルボタンにおいて、一方のボタン基体と脚部を一体とし、該脚部は先端面に開口する雌螺子部を備え、他方のボタン基体には前記雌螺子部と螺合する雄螺子部を備え、雄螺子部の基端には弾性部材を設けたことを特徴とする衣服用リバーシブルボタンを、課題を解決するための手段とする。
【考案の効果】
【００１１】
請求項１に係る考案によれば、内側面相互が対向する一対のボタン基体と、該一対のボタン基体相互を連結する脚部とを備え、前記一対のボタン基体の夫々の外側面に装飾部を設けた衣服用リバーシブルボタンを前提として、一方のボタン基体と脚部を一体とし該脚部の先端面に開口する雌螺子部を備えた雌ボタンとし、他方のボタン基体には前記雌螺子部と螺合する雄螺子部を備え該雄螺子部の基端には弾性部材を設けた雄ボタンとし、前記雌ボタンの雌螺子部と雄ボタンの雄螺子部を螺合し、雄ボタンの弾性部材が雌ボタンの脚部の先端面を押圧してなる構成としたから、雄螺子部と雌螺子部とを螺合し、脚部の先端面で弾性部材を圧迫することで、弾性部材の反発弾性力が脚部の先端面に作用し、前記反発弾性力で雄螺子部と雌螺子部は螺合した状態で押し付けられ、雄螺子部と雌螺子部の螺合状態に緩みを生じさせない。このため、指の力が弱い人であっても、通常の使用状態で、装飾部を有する一対のボタン基体相互が不用意に分離しない確実な取付けを行える。そして、衣服用リバーシブルボタンは、常に連結状態を確保できる。
【００１２】
また、従来、表裏の装飾体の組合せを変更することができなかった衣服用リバーシブルボタンについて、一対のボタン基体相互が不用意に外れることがなく、雌螺子部から雄螺子部を取り外して一対のボタン基体相互を分離できるため、使用者の好みに適した装飾部を有する雄ボタン若しくは雌ボタンを適宜選択し、組み合わせることができる。
【００１３】
更に、請求項１に係る考案によれば、衣服に対して着脱自在であるにもかかわらず、雌ボタンと雄ボタンを分離した状態で衣服に取着できることによって、ボタン取付穴の大きさを、環状の弾性部材（若しくは脚部）の外径寸法程度の大きさにとどめることができ、衣服に対して衣服用リバーシブルボタンを取着すると、外側に露呈するボタン基体とボタン穴のみが係脱可能となるため、他方のボタン基体がボタン取付穴から先に外れるといった不都合を生じることがない。
【００１４】
また、請求項２に係る考案によれば、上記請求項１に係る雄螺子部と雌螺子部との螺合構造と弾性部材の反発弾性力によって、ボタン基体を金属製としても通常使用で緩みが生じることがなく、金属製の高級感のある意匠性を発揮することができる。また、ボタン基体を金属製とすることで優れた耐久性を発揮できる。
【００１５】
請求項３及び請求項４に係る考案に示すように、上記請求項１又は請求項２に係る衣服用リバーシブルボタンにおける雄ボタン及び雌ボタンは、それぞれ独立した構成物品とすることができ、請求項１又は請求項２記載の衣服用リバーシブルボタンにおける装飾性の多様化を図ることができる。
【００１６】
請求項５に係る考案に示すように、上記請求項１又は請求項２記載の衣服用リバーシブルボタンを衣服に取着することにより、当該衣服用リバーシブルボタンの優れた、作用効果を発揮させることができる。
【００１７】
更に、従来の衣服（例えば、ジーンズ等）ではボタンを衣服に取着した後に加工工程（例えば、デニム地等の生地の色調を変化させるための色落ち加工等）を行う際にボタンの破損を招来することがあったが、請求項５に係る考案によれば、打ち機を用いてボタンを生地に取着する工程が不要であり、ボタンの取着以外のすべての衣服の製造工程の後に、衣服のボタン取着穴に衣服用リバーシブルボタンを取付けるだけでよく、ボタンの破損を招来することがない。
また、最終的に金属製の衣服用リバーシブルボタンを取付ける直前に検針機を用いることで、当該検針作業において、衣服用リバーシブルボタンが障害となることがない利点を有する。
【考案を実施するための最良の形態】
【００１８】
本考案は、内側面相互が対向する一対のボタン基体と、該一対のボタン基体相互を連結する脚部とを備え、前記一対のボタン基体の夫々の外側面に装飾部を設け、一方のボタン基体と脚部を一体とし該脚部の先端面に開口する雌螺子部を備えた雌ボタンとし、他方のボタン基体には前記雌螺子部と螺合する雄螺子部を備え該雄螺子部の基端には弾性部材を設けた雄ボタンとし、前記雌ボタンの雌螺子部と雄ボタンの雄螺子部を螺合し、雄ボタンの弾性部材が雌ボタンの脚部の先端面を押圧してなる構成としたから、金属製の高級感のある意匠性を発揮し、雄螺子部と雌螺子部とを螺合し、脚部の先端面で弾性部材を圧迫することで、弾性部材の反発弾性力が脚部の先端面に作用し、雄螺子部と雌螺子部の螺合状態に緩みを生じさせず、指の力が弱い人であっても、通常の使用状態で、装飾部を有する一対のボタン基体相互が不用意に分離しない確実な取付けを行え、常に連結状態を確保し、優れた耐久性を発揮できる、衣服用リバーシブルボタンを実現した。
【実施例】
【００１９】
図１は本考案の実施例に係る（ａ）衣服用リバーシブルボタンを示す斜視図、（ｂ）衣服用リバーシブルボタンを分解した状態を示す斜視図、図２は同実施例に係る衣服用リバーシブルボタンを構成する雌ボタンの（ａ）は平面図、（ｂ）は正面図、図３は同実施例に係る衣服用リバーシブルボタンを構成する雌ボタンの（ａ）底面図、（ｂ）図２（ｂ）のＡ−Ａ断面図、図４は同実施例に係る衣服用リバーシブルボタンを構成する雄ボタンの（ａ）平面図、（ｂ）正面図、図５は同実施例に係る衣服用リバーシブルボタンを構成する雄ボタンの（ａ）底面図、（ｂ）図４（ｂ）のＢ−Ｂ断面図、図６は取付対象となるジーンズの前袷部分を示す説明図、図７は同実施例に係る衣服用リバーシブルボタンの雌ボタンをジーンズの前袷部分で使用する際の取付構造を示す説明断面図、図８は同実施例に係る衣服用リバーシブルボタンを（ａ）内側生地に取着した状態を示す説明断面図，（ｂ）外側生地のボタン穴に掛止した状態を示す説明断面図、図９は取付対象となるジーンズの前袷部分に本考案の実施例に係る衣服用リバーシブルボタンを取着した状態を示す説明図、図１０は同実施例に係る衣服王リバーシブルボタンの雄ボタンをジーンズの前袷部分で使用する際の取付構造を示す説明断面図である。
【００２０】
本考案の実施例に係る衣服用リバーシブルボタン１は、図１乃至図５に示すように、内側面１３相互が対向する一対のボタン基体と、該一対のボタン基体相互を連結する脚部１１とを備え、前記一対のボタン基体の夫々の外側面１４に装飾部１５を設けた衣服用リバーシブルボタン１であり、当該構成を、雌ボタン１ａと雄ボタン１ｂの組合せによって実現したものである。
【００２１】
本実施例における雌ボタン１ａは、一方のボタン基体１０（以下、雌ボタン基体１０ａ）と該雌ボタン基体１０ａの裏面中央から垂直に起立形成した脚部１１を一体として形成したものであり、前記脚部１１にはその先端面１１１の中央に開口する雌螺子部１１０を設けてある。
【００２２】
雌ボタン基体１０ａの表面には、テーパー状の縁部１７から中心側に装飾体保持凹部１６を形成してある。該装飾体保持凹部１６には装飾体１５０を嵌合し、前記テーパー状の縁部１７から装飾体１５０全体を透明な塗料でコーティングした装飾部１５を形成してある。
【００２３】
また、本実施例における雄ボタン１ｂは、他方のボタン基体１０（以下、雄ボタン基体１０ｂ）と該雄ボタン基体１０ｂの裏面中央から垂直に起立形成した雄螺子部１２を一体として形成したものであり、雄螺子部１２の基端を囲繞する環状の弾性部材２を取着した構成である。
【００２４】
雄ボタン基体１０ｂの装飾部１５の形状は、デザイン自体は相違するものの、構成としては雌ボタン基体１０ａの装飾部１５と同様であり、雄ボタン基体１０ｂの表面のテーパー状の縁部１７から中心側に装飾体保持凹部１６を形成し、該装飾体保持凹部１６に装飾体１５０を載置し、テーパー状の縁部１７から装飾体１５０全体を透明な塗料でコーティングして装飾部１５を形成してある。
【００２５】
以上の雌ボタン１ａの雌螺子部１１０と雄ボタン１ｂの雄螺子部１２を螺合することによって、雌螺子部１１０の先端面１１１が雄螺子部１２の基端を囲繞する弾性部材２を押圧する。押圧された弾性部材２は僅かに変形し、雌ボタン１ａの脚部１１における先端面１１１に反発弾性力を加え、雌ボタン１ａと雄ボタン１ｂが相対的に固定された状態となり、雌ボタン１ａと雄ボタン１ｂとの不用意な緩みによる解除を防止する。
【００２６】
衣服９への装着は雌ボタン１ａと雄ボタン１ｂを取り外した状態で行う。取付対象となる衣服９の一例として、図６にジーンズを示す。ジーンズの前袷部分のうち、外側に重なる外側生地９２ｂにはボタン穴９１を形成し、内側に重なる内側生地９２ａにはボタン取付穴９０を形成する。
【００２７】
雌ボタン１ａを使用するボタンとするには、図７に示すように、内側生地９２ａの内側からボタン取付穴９０に対し雄ボタン１ｂの雄螺子部１２を挿通し、図８（ａ）に示すように、内側生地９２ａの外側から雌ボタン１ａの雌螺子部１１０を前記雄螺子部１２と螺合する。螺合操作に伴って、雌ボタン１ａの脚部の先端面１１１が雄螺子部１２の基端に設けた環状の弾性部材２を押圧し、雌ボタン１ａが雄ボタン１ｂと固定される。取付対象となるジーンズに衣服用リバーシブルボタンを取着した状態を図９に示す。この状態において、図８（ｂ）に示すように、雌ボタン１ａとボタン穴９１とを掛留めることができる。
【００２８】
また図１０に示すように、雄ボタン１ｂを使用するボタンとするには、内側生地９２ａの内側からボタン取付穴９０に対して雌ボタン１ａの脚部１１を挿通し、内側生地９２ａの外側から雄ボタン１ｂの雄螺子部１２を前記脚部１１の雌螺子部１１０と螺合する。同様に、螺合操作に伴って、雌ボタン１ａの脚部１１の先端面１１１が雄螺子部１２の基端に設けた環状の弾性部材２を押圧し、雌ボタン１ａが雄ボタン１ｂと固定される。この状態において、雄ボタン１ｂとボタン穴９１とを掛留めることができる。
【００２９】
雄ボタン１ｂ、雌ボタン１ａのいずれにおいても、螺合した雄ボタン１ｂと雌ボタン１ａを解除方向へ回動させるだけでよい。雄ボタン１ｂと雌ボタン１ａの固定状態では環状の弾性部材２が軸方向へ反発弾性力を生じているため雄ボタン１ｂと雌ボタン１ａは不用意に外れないが、指に力がない者であっても、容易に螺合した雄ボタン１ｂと雌ボタン１ａを解除方向へ回動させることができる。
【００３０】
尚、上記実施例では、表裏の装飾体１５０を異なるデザインのものとして説明したが、表裏同一のデザインを用いてもよい。即ち、実施時点で表裏が同一のデザインであっても、表裏いずれか一方を他のデザインのものに交換できるため、結果として、異なるデザインの装飾体１５０を兼備できるからである。
【図面の簡単な説明】
【００３１】
【図１】本考案の実施例に係る（ａ）衣服用リバーシブルボタンを示す斜視図、（ｂ）衣服用リバーシブルボタンを分解した状態を示す斜視図。
【図２】本考案の実施例に係る衣服用リバーシブルボタンを構成する雌ボタンの（ａ）は平面図、（ｂ）は正面図。
【図３】本考案の実施例に係る衣服用リバーシブルボタンを構成する雌ボタンの（ａ）は底面図、（ｂ）は図２（ｂ）のＡ−Ａ断面図。
【図４】本考案の実施例に係る衣服用リバーシブルボタンを構成する雄ボタンの（ａ）は平面図、（ｂ）は正面図。
【図５】本考案の実施例に係る衣服用リバーシブルボタンを構成する雄ボタンの（ａ）は底面図、（ｂ）は図４（ｂ）のＢ−Ｂ断面図。
【図６】取付対象となるジーンズの前袷部分を示す説明図。
【図７】本考案の実施例に係る衣服用リバーシブルボタンの雌ボタンをジーンズの前袷部分で使用する際の取付構造を示す説明断面図。
【図８】本考案の実施例に係る衣服用リバーシブルボタンを（ａ）内側生地に取着した状態を示す説明断面図，（ｂ）外側生地のボタン穴に掛止した状態を示す説明断面図。
【図９】取付対象となるジーンズの前袷部分に本考案の実施例に係る衣服用リバーシブルボタンを取着した状態を示す説明図。
【図１０】本考案の実施例に係る衣服王リバーシブルボタンの雄ボタンをジーンズの前袷部分で使用する際の取付構造を示す説明断面図。
【符号の説明】
【００３２】
１          衣服用リバーシブルボタン
１ａ        雌ボタン
１ｂ        雄ボタン
１０        ボタン基体
１０ａ      雌ボタン基体
１０ｂ      雄ボタン基体
１１        脚部
１１０      雌螺子部
１１１      先端面
１２        雄螺子部
１３        内側面
１４        外側面
１５        装飾部
１５０      装飾体
１６        装飾体保持凹部
１７        縁部
２          弾性部材
９          衣服
９０        ボタン取付穴
９１        ボタン穴
９２ａ      内側生地
９２ｂ      外側生地
【図１】
0003147380.tif 000003
【図２】
0003147380.tif 000004
【図３】
0003147380.tif 000005
【図４】
0003147380.tif 000006
【図５】
0003147380.tif 000007
【図６】
0003147380.tif 000008
【図７】
0003147380.tif 000009
【図８】
0003147380.tif 000010
【図９】
0003147380.tif 000011
【図１０】
0003147380.tif 000012